(57)【特許請求の範囲】
【請求項１】
電力負荷と、前記電力負荷に対して電力を供給するための分散型電源と、が接続されている電力線の前記電力負荷及び前記分散型電源よりも上流側に接続される第１バッテリと、前記電力線の前記電力負荷及び前記分散型電源よりも下流側に接続される第２バッテリと、の充放電を制御して前記電力線の電力を調整する電力調整装置であって、
１日のうちの第１時間において、前記電力線の前記電力負荷及び前記分散型電源よりも上流側で発生する実績電力の値が計画電力値以上の第１電力閾値を上回る場合、前記第１バッテリから前記電力線に対して電力が供給されるように前記第１バッテリを放電させ、前記第１時間において、前記実績電力の値が前記計画電力値以下の第２電力閾値を下回る場合、前記電力線から前記第２バッテリに対して電力が供給されるように前記第２バッテリを充電させる第１充電制御装置と、
１日のうちの前記第１時間よりも後の第２時間において、前記実績電力の値が前記第１電力閾値を下回る場合、前記第１時間において前記第１バッテリから放電された電力量に対応する電力量が充電されるように前記第１バッテリを充電させ、前記第２時間において、前記実績電力の値が前記第２電力閾値を上回る場合、前記第１時間において前記第２バッテリに充電された電力量に対応する電力量が放電されるように前記第２バッテリを放電させる第２充電制御装置と、
前記電力線の前記電力負荷及び前記分散型電源よりも上流側で発生するとされている予測電力値に基づいて、上限値が前記予測電力値の最大よりも小さくなり、且つ、下限値が前記予測電力値の最小よりも大きくなるように前記計画電力値を決定する第１決定部と、
を備えたことを特徴とする電力調整装置。
【請求項２】
前記上限値を上回っている前記予測電力値に応じて定まる電力量と、前記下限値を下回っている前記予測電力値に応じて定まる電力量とが互いに略一致するように、前記上限値と前記下限値とを決定する第２決定部、を更に備える
ことを特徴とする請求項１に記載の電力調整装置。
【請求項３】
前記上限値を上回っている前記予測電力値に応じて定まる電力量が、前記第１時間における前記第２バッテリの推定充電量に応じた電力量となるように、前記上限値を決定する第２決定部と、
前記下限値を下回っている前記予測電力値に応じて定まる電力量が、前記第１バッテリの充電容量に応じた電力量となるように、前記下限値を決定する第３決定部と、を更に備える
ことを特徴とする請求項１に記載の電力調整装置。
【請求項４】
前記第１時間は、日中に対応する時間であり、
前記第２時間は、夜間に対応する時間である
ことを特徴とする請求項１〜請求項３のいずれかに記載の電力調整装置。
【請求項５】
前記分散型電源は、太陽光発電装置である
ことを特徴とする請求項１〜請求項４のいずれかに記載の電力調整装置。
【発明の詳細な説明】
【技術分野】
【０００１】
本発明は、電力調整装置に関する。
【背景技術】
【０００２】
例えば、負荷と分散型電源とが接続される配電線を有する配電系統が知られている（例えば特許文献１）。
【先行技術文献】
【特許文献】
【０００３】
【特許文献１】特開２０１２−１４７５７６号公報
【発明の概要】
【発明が解決しようとする課題】
【０００４】
一般に、特許文献１の配電系統を含め、負荷と分散型電源とが接続される配電線を有する配電系統においては、分散型電源から配電線に供給される電力の変動に基づいて、配電線の電力が比較的大きく変動する虞がある。
【課題を解決するための手段】
【０００５】
前述した課題を解決する主たる本発明は、電力負荷と、前記電力負荷に対して電力を供給するための分散型電源と、が接続されている電力線の前記電力負荷及び前記分散型電源よりも上流側に接続される第１バッテリと、前記電力線の前記電力負荷及び前記分散型電源よりも下流側に接続される第２バッテリと、の充放電を制御して前記電力線の電力を調整する電力調整装置であって、１日のうちの第１時間において、前記電力線の前記電力負荷及び前記分散型電源よりも上流側で発生する実績電力の値が計画電力値以上の第１電力閾値を上回る場合、前記第１バッテリから前記電力線に対して電力が供給されるように前記第１バッテリを放電させ、前記第１時間において、前記実績電力の値が前記計画電力値以下の第２電力閾値を下回る場合、前記電力線から前記第２バッテリに対して電力が供給されるように前記第２バッテリを充電させる第１充電制御装置と、１日のうちの前記第１時間よりも後の第２時間において、前記実績電力の値が前記第１電力閾値を下回る場合、前記第１時間において前記第１バッテリから放電された電力量に対応する電力量が充電されるように前記第１バッテリを充電させ、前記第２時間において、前記実績電力の値が前記第２電力閾値を上回る場合、前記第１時間において前記第２バッテリに充電された電力量に対応する電力量が放電されるように前記第２バッテリを放電させる第２充電制御装置と、前記電力線の前記電力負荷及び前記分散型電源よりも上流側で発生するとされている予測電力値に基づいて、上限値が前記予測電力値の最大よりも小さくなり、且つ、下限値が前記予測電力値の最小よりも大きくなるように前記計画電力値を決定する第１決定部と、を備えたことを特徴とする電力調整装置である。
【０００６】
本発明の他の特徴については、添付図面及び本明細書の記載により明らかとなる。
【発明の効果】
【０００７】
本発明によれば、電力線の電力を調整することができる。
【図面の簡単な説明】
【０００８】
【図１】本発明の第１実施形態における配電系統を示す図である。
【図２】本発明の第１実施形態における潮流量、需要量、発電量を示す図である。
【図３】本発明の第１乃至第３実施形態における計画装置の機能を示すブロック図である。
【図４】本発明の第１実施形態における過去情報を示す図である。
【図５】本発明の第１実施形態における未来情報を示す図である。
【図６】本発明の第１実施形態における過去の時刻と過去の日射量と過去の推定発電量とを示す図である。
【図７】本発明の第１実施形態における過去の時刻と過去の潮流量と過去の推定発電量と過去の推定需要量とを示す図である。
【図８】本発明の第１実施形態における未来の時刻と日射量の予測値と予測発電量と予測需要量と予測潮流量とを示す図である。
【図９】本発明の第１実施形態における未来の予測潮流量と計画潮流量を示す図である。
【図１０】本発明の第１実施形態における一方の充電制御装置の機能を示すブロック図である。
【図１１】本発明の第１実施形態における他方の充電制御装置の機能を示すブロック図である。
【図１２】本発明の第１実施形態における計画装置の動作を示すフローチャートである。
【図１３】本発明の第１実施形態における一方の充電制御装置の動作を示すフローチャートである。
【図１４】本発明の第１実施形態における他方の充電制御装置の動作を示すフローチャートである。
【図１５】本発明の第１実施形態における計画潮流量と潮流量とを示す図である。
【図１６】本発明の第２実施形態における未来の予測潮流量を示す図である。
【図１７】本発明の第３実施形態における予測式生成部で算出された過去の推定需要量の一例を示す図である。
【図１８】本発明の第３実施形態における予測式生成部で算出された推定需要量の他の一例を示す図である。
【図１９】本発明の第３実施形態における予測式生成部が日射量係数の係数値を決定する動作を示すフローチャートである。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。
【００１１】
配電系統１００は、例えば負荷Ｒ１（電力負荷）に対して変電所２００からの電力を供給するための電力系統である。
【００１２】
配電系統１００は、配電用変圧器１０１、母線Ｌ１（電力線）、第１測定装置Ｍ１１、第２測定装置Ｍ１２、例えば１本の配電線Ｌ１０（電力線）、負荷Ｒ１、発電機Ｇ１、計画装置５（第１決定部、第２決定部）、一方のバッテリ装置６００、他方のバッテリ装置７００、気象情報装置４を有する。尚、例えば、配電系統１００に設けられる配電線の本数は、２本以上であってもよい。
【００１３】
配電用変圧器１０１は、例えば一次側の電圧を所定の変圧比で変圧して、当該変圧された電圧を二次側から出力する装置である。配電用変圧器１０１の一次側は、送電線Ｌ２００の一端に接続される。尚、送電線Ｌ２００は、例えば変電所２００よりも上流側の一次変電所（不図示）からの電圧を、変電所２００に供給するための送電線である。配電用変圧器１０１の二次側は、母線Ｌ１に接続される。
【００１４】
母線Ｌ１は、配電用変圧器１０１からの電力を配電線Ｌ１０に供給するための電力線であり、例えば変電所２００に設けられる。
【００１５】
第１測定装置Ｍ１１は、母線Ｌ１から配電線Ｌ１０に供給される電力Ｗ１を測定し、当該測定結果を示す第１測定信号Ｓ１１を出力する装置である。尚、第１測定信号Ｓ１１は、第１測定装置Ｍ１１の測定結果を示す情報と当該測定が行われた時刻（現在時刻）を示す情報とが対応付けられている信号であることとする。尚、母線Ｌ１から配電線Ｌ１０に供給される電力（実績電力）の値を、配電線Ｌ１０の潮流量とも称することとする。第１測定装置Ｍ１１は、配電線Ｌ１０における母線Ｌ１との接続点Ｐ１１の近傍の電力を計測できるように、変電所２００に設けられる。
【００１６】
第２測定装置Ｍ１２は、負荷Ｒ１が設けられている地域（位置）の現在の気温及び発電機Ｇ１が設けられている地域（位置）の現在の日射量を測定し、当該測定結果を示す第２測定信号Ｓ１２を出力する装置である。尚、第２測定信号Ｓ１２は、第２測定装置Ｍ１２の測定結果を示す情報と当該測定が行われた時刻（現在時刻）を示す情報とが対応付けられている信号であることとする。
【００１７】
配電線Ｌ１０は、上流側の変電所２００から下流側の負荷Ｒ１に向かって延びる電力線である。配電線Ｌ１０における上流側の一端は、母線Ｌ１における接続点Ｐ１１に接続される。
【００１８】
負荷Ｒ１は、配電線Ｌ１０に接続される電力負荷である。尚、配電線Ｌ１０には、例えば負荷が複数接続される。負荷Ｒ１は、説明の便宜上、例えば当該配電線Ｌ１０に接続される複数の負荷を示していることとする。負荷Ｒ１は、配電線Ｌ１０からの電力Ｗ３が供給されるように、配電線Ｌ１０における接続点Ｐ１３に接続される。尚、配電線Ｌ１０から負荷Ｒ１に供給される電力の値を、配電線Ｌ１０の需要量とも称することとする。
【００１９】
発電機Ｇ１は、負荷Ｒ１に対して電力を供給するための、配電線Ｌ１０に接続される例えば太陽光発電装置等の分散型電源である。尚、配電線Ｌ１０には、例えば太陽光発電装置が複数接続される。発電機Ｇ１は、説明の便宜上、例えば当該配電線Ｌ１０に接続される複数の太陽光発電装置を示していることとする。発電機Ｇ１は、発電機Ｇ１で発電された電力Ｗ２を配電線Ｌ１０に対して供給できるように、配電線Ｌ１０における接続点Ｐ１２に接続される。発電機Ｇ１は、負荷Ｒ１よりも例えば上流側に接続される。つまり、発電機Ｇ１は、発電機Ｇ１から負荷Ｒ１に向けて電力Ｗ２を発生させることになる。尚、発電機Ｇ１から配電線Ｌ１０に供給される電力の値を、発電機Ｇ１の発電量とも称することとする。
【００２０】
気象情報装置４は、負荷Ｒ１が設けられている地域（位置）の現在の天候（天気）を示す気象信号Ｓ４１を出力する装置である。尚、気象信号Ｓ４１は、現在の時刻を示す情報と上述の現在の天候を示す情報とが対応付けられている信号であることとする。気象情報装置４は、例えば気象庁に設けられている。気象情報装置４は、例えば負荷Ｒ１が設けられている地域（位置）に設けられた気象情報測定装置（不図示）からの気象情報に基づいて、気象信号Ｓ４１を出力する。尚、気象情報とは、例えば、負荷Ｒ１、発電機Ｇ１が設けられている地域夫々における、気温、湿度、雨量、雲量、風速、日射量、天気、天候等である。これらの、気温、湿度、雨量、雲量、風速、日射量、天気、天候等は、例えば気象情報測定装置によって、測定又は観測されることとする。
【００２１】
気象情報装置４は、発電機Ｇ１が設けられている地域（位置）における未来（将来）の日射量の予測値を示す気象信号Ｓ４２を更に出力する。尚、未来の日射量の予測値とは、例えば未来の所定時刻から所定期間経過後までの間における３０分毎の日射量の予測値を示す。尚、未来の日射量の予測値は、３０分毎の日射量の予測値に限られず、例えば１０分毎の日射量の予測値でもよく、１時間毎の日射量の予測値でもよい。気象情報装置４は、例えば、上述の気象情報測定装置からの気象情報に基づいて、発電機Ｇ１が設けられている地域における未来（将来）の日射量の予測することとする。
【００２２】
計画装置５は、第１測定信号Ｓ１１、第２測定信号Ｓ１２、気象信号Ｓ４１、Ｓ４２等に基づいて、未来の配電線Ｌ１０の需要量、未来の配電線Ｌ１０の潮流量（予測電力値）、未来の発電機Ｇ１の発電量を予測し、配電線Ｌ１０の計画潮流量（計画電力値）を決定する装置である。尚、配電線Ｌ１０の計画潮流量については、後述する。計画装置５は、配電線Ｌ１０の計画潮流量を示す計画信号Ｓ５１、母線Ｌ１から配電線Ｌ１０に供給される電力Ｗ１の値を示す潮流信号Ｓ５２を出力する。尚、潮流信号Ｓ５２は、第１測定信号Ｓ１１に基づく信号であり、現在時刻での母線Ｌ１から配電線Ｌ１０に供給される電力Ｗ１の値を示す信号であることとする。計画装置３は、例えば営業所５００に設けられる。尚、例えば、計画装置３が営業所５００以外の変電所２００又は配電系統１００を制御するための制御所（不図示）等に設けられていることとしてもよい。
【００２３】
一方のバッテリ装置６００及び他方のバッテリ装置７００は、配電線Ｌ１０における電力の需給をバランスさせるための装置である。尚、一方のバッテリ装置６００及び他方のバッテリ装置７００については、後述する。
【００２４】
＝＝＝潮流量、需要量、発電量＝＝＝
以下、図１及び図２を参照して、本実施形態における潮流量、需要量、発電量について説明する。
【００２５】
図２は、本実施形態における潮流量、需要量、発電量を示す図である。尚、図２は、例えば一日における、配電線Ｌ１０の潮流量Ｗ１、配電線Ｌ１０の需要量Ｗ３、発電機Ｇ１の発電量Ｗ２が示されている。横軸Ｘ１は、一日における時間を示している。横軸Ｘ１におけるＴａ１は例えば午前０時を示し、時刻Ｔａ２は日の出の時刻に対応する例えば午前７時を示し、時刻Ｔａ３は日の入りの時刻に対応する例えば午後５時を示していることとする。縦軸Ｙ１は、潮流量Ｗ１、需要量Ｗ３、発電量Ｗ２の大きさを示している。尚、図２における潮流量Ｗ１、需要量Ｗ３、発電量Ｗ２は、例えばシミュレーション等によって求められたものであることとする。
【００２６】
時刻Ｔａ１から時刻Ｔａ２までの第１期間Ｄ１１（夜間）では、発電量Ｗ２は、略０となる。第１期間Ｄ１１では、潮流量Ｗ１及び需要量Ｗ３が略一致する。尚、図２においては、第１期間Ｄ１１では、潮流量Ｗ１及び需要量Ｗ３が略一致しているので、説明の便宜上、潮流量Ｗ１及び需要量Ｗ３は、一本の線で示されている。
【００２７】
時刻Ｔａ２から時刻Ｔａ３までの第２期間Ｄ１２（日中）では、発電量Ｗ２は、時間に応じて変動している。これは、例えば、第２期間Ｄ１２において、時間に応じて発電機Ｇ１が設けられている地域の日射量が変動していることによるものである。又、第２期間Ｄ１２では、潮流量Ｗ１が、需要量Ｗ３よりも小さくなっている。これは、例えば、発電機Ｇ１から配電線Ｌ１０に供給される電力及び母線Ｌ１から配電線Ｌ１０に供給される電力の双方が、当該配電線Ｌ１０から負荷Ｒ１に対して供給されているためである。
【００２８】
時刻Ｔａ３以降の第３期間Ｄ１３（夜間）では、発電量Ｗ２は、略０となる。第３期間Ｄ１３では、潮流量Ｗ１及び需要量Ｗ３が略一致する。尚、図２においては、第３期間Ｄ１３では、潮流量Ｗ１及び需要量Ｗ３が略一致しているので、説明の便宜上、潮流量Ｗ１及び需要量Ｗ３は、一本の線で示されている。
【００２９】
以上より、潮流量Ｗ１、需要量Ｗ３、発電量Ｗ２の間には、例えば以下の式１の関係が成立する。
【００３０】
0005596201.tif 000002
＝＝＝一方のバッテリ装置、他方のバッテリ装置＝＝＝
以下、図１を参照して、本実施形態における一方のバッテリ装置及び他方のバッテリ装置について説明する。
【００３１】
一方のバッテリ装置６００及び他方のバッテリ装置７００は、配電線Ｌ１０における電力の需給をバランスさせるための装置である。一方のバッテリ装置６００及び他方のバッテリ装置７００は、一日における需要量Ｗ３の最大Ｍａ１（図２）をピークシフト又はピークカット等を行うための装置でもある。
【００３２】
＝一方のバッテリ装置＝
一方のバッテリ装置６００は、変電所２００に設けられる。一方のバッテリ装置６００は、一方の充電制御装置６、一方のバッテリＢ１（第１バッテリ）、一方のスイッチ６０１を有する。
【００３３】
一方のバッテリＢ１は、一方の充電制御装置６及び一方のスイッチ６０１を介して、母線Ｌ１に接続される。
【００３４】
一方のスイッチ６０１は、一方のスイッチ６０１が設けられている位置を開閉する装置である。一方のスイッチ６０１は、一方のバッテリＢ１と母線Ｌ１との間に設けられる。
【００３５】
一方の充電制御装置６は、一方のバッテリＢ１の充放電を制御したり、一方のスイッチ６０１の開閉を制御したりする装置である。尚、一方の充電制御装置６については、後述する。
【００３６】
＝他方のバッテリ装置＝
他方のバッテリ装置７００は、配電線Ｌ１０の末端に設けられる。他方のバッテリ装置７００は、他方の充電制御装置７、他方のバッテリＢ２（第２バッテリ）、他方のスイッチ７０１を有する。
【００３７】
他方のバッテリＢ２は、他方の充電制御装置７及び他方のスイッチ７０１を介して、配電線Ｌ１０に接続される。他方のバッテリＢ２は、負荷Ｒ１及び発電機Ｇ１の双方よりも下流側の接続点Ｐ１４に接続される。
【００３８】
他方のスイッチ７０１は、他方のスイッチ７０１が設けられている位置を開閉する装置である。他方のスイッチ７０１は、他方のバッテリＢ２と配電線Ｌ１０との間に設けられる。
【００３９】
他方の充電制御装置７は、他方のバッテリＢ２の充放電を制御したり、他方のスイッチ７０１の開閉を制御したりする装置である。尚、他方の充電制御装置７については、後述する。
【００４０】
＝＝＝計画装置＝＝＝
以下、図３を参照して、本実施形態における計画装置について説明する。図３は、本実施形態における計画装置の機能を示すブロック図である。
【００４１】
計画装置５は、第１測定信号Ｓ１１、第２測定信号Ｓ１２、気象信号Ｓ４１、Ｓ４２等に基づいて、未来の配電線Ｌ１０の需要量、未来の配電線Ｌ１０の潮流量、未来の発電機Ｇ１の発電量を予測し、配電線Ｌ１０の計画潮流量を決定する装置である。計画装置５は、配電線Ｌ１０の計画潮流量を示す計画信号Ｓ５１、母線Ｌ１から配電線Ｌ１０に供給される電力Ｗ１の値を示す潮流信号Ｓ５２を出力する。尚、計画装置５、一方の充電制御装置６、他方の充電制御装置７が電力調整装置に相当する。
【００４２】
計画装置５は、入力部５１、出力部５２、表示部５３、送受信部５４、記憶部５５、予測式生成部５６、予測部５７、制御部５８、供給計画生成部５９を有する。
【００４３】
入力部５１は、計画装置５に対して情報を入力するための例えばキーボードである。
【００４４】
出力部５２は、計画装置５の外部に情報を出力するための例えばプリンタである。
【００４５】
表示部５３は、計画装置５に入力された情報を表示したり、計画装置５から出力される情報を表示したりするための例えばモニタである。
【００４６】
送受信部５４は、第１測定装置Ｍ１１、第２測定装置Ｍ１２、気象情報装置４、一方の充電制御装置６、他方の充電制御装置７（「各装置」とも称する）と通信を行う。計画装置５は、各装置との間で通信できるように、例えば通信ケーブル（不図示）又は無線通信ネットワーク（不図示）を介して各装置と接続されているものとする。送受信部５４は、第１測定信号Ｓ１１、気象信号Ｓ４１、Ｓ４２を、例えば数分毎等の所定周期で受信する。尚、送受信部５４が受信する第１測定信号Ｓ１１、第２測定信号Ｓ１２、気象信号Ｓ４１夫々に示されている現在の時刻（測定が行われた時刻）は、例えば相互に同期がとれているものとする。又、気象信号Ｓ４２では、例えば、現在の時刻の数分後から１日経過（２４時間経過）後までの間における数分毎の未来の日射量の予測値が示されていることとする。
【００４７】
送受信部５４は、潮流信号Ｓ５２を例えば数分毎に出力し、計画信号Ｓ５１を例えば数時間毎に出力する。尚、数分とは、例えば、１分でもよく、１０分でもよく、３０分等でもよいこととする。数時間とは、例えば、１時間でもよく、５時間でもよく、２４時間でもよいこととする。
【００４８】
記憶部５５は、例えば、第１の領域５５１、第２の領域５５２、第３の領域５５３を有する。
【００４９】
第１の領域５５１には、例えば、計画装置５を動作させるためのプログラムが記憶されている。
【００５０】
第２の領域５５２には、例えば、過去情報Ｄ１（図４）、未来情報Ｄ２（図５）が記憶される。尚、過去情報Ｄ１、未来情報Ｄ２については、後述する。
【００５１】
第３の領域５５３には、例えば、日射量係数α１の係数値（定数）を示す情報と、予測式を示す情報とが記憶される。尚、日射量係数α１は、発電機Ｇ１が設けられている地域の過去の日射量及び未来の日射量の予測値に基づいて、発電機Ｇ１の過去の発電量の推定値（「過去の推定発電量」とも称する）及び発電機Ｇ１の未来の発電量の予測値（「未来の予測発電量」とも称する）を算出するための係数である。日射量係数α１の係数値は、例えば、発電機Ｇ１の発電容量等に基づいて予め定められていることとする。
【００５２】
予測式生成部５６は、例えば第２の領域５５２に記憶されている情報等に基づいて、予測式を生成する。尚、予測式は、配電線Ｌ１の未来の需要量の予測値（「未来の予測需要量」とも称する）を算出するための数式である。
【００５３】
予測部５７は、上述の予測式、日射量係数α１に基づいて、配電線Ｌ１０の未来の需要量の予測値、配電線のＬ１０の未来の潮流量の予測値（「未来の予測潮流量」とも称する）、発電機Ｇ１の発電量の予測値を算出する。尚、予測部５７については、後述する。
【００５４】
供給計画生成部５９は、予測部５７の予測結果に基づいて、配電線Ｌ１０の計画潮流量（単に「計画潮流量」とも称する）を決定する。配電線Ｌ１０の計画潮流量は、例えば、配電用変圧器１０１の二次側から出力される電力を調整するに用いられる。配電線Ｌ１０の計画潮流量は、現在の時刻の数分後から１日経過（２４時間経過）後までの間における未来の潮流量の値である。配電用変圧器１０１は、例えば、潮流量が計画潮流量に応じた値となるように制御される。
【００５５】
制御部５８は、例えば計画装置５を動作させるためのプログラムに基づいて、計画装置５の動作を制御する。
【００５６】
＝＝＝過去情報＝＝＝
以下、図４を参照して、本実施形態における過去情報について説明する。図４は、本実施形態における過去情報を示す図である。
【００５７】
過去情報Ｄ１は、第１測定信号Ｓ１１、第２測定信号Ｓ１２、気象信号Ｓ４１に基づく情報である。つまり、過去情報Ｄ１は、過去における情報である。過去情報Ｄ１では、第１測定信号Ｓ１１及び気象信号Ｓ４１に示されている時刻と、第１測定信号Ｓ１１に示されている配電線Ｌ１０の潮流量と、第２測定信号Ｓ１２に示されている負荷Ｒ１が設けられている地域の気温及び発電機Ｇ１が設けられている地域の日射量と、気象信号Ｓ４１に示されている負荷Ｒ１が設けられている地域の天候とが相互に対応付けられた情報である。過去情報Ｄ１では、送受信部５４が第１測定信号Ｓ１１、第２測定信号Ｓ１２を受信する毎に、当該対応付けられた情報が順次記憶される。
【００５８】
過去情報Ｄ１においては、時刻Ｔ１乃至Ｔｎは、時刻Ｔ１乃至Ｔｎのうち時刻Ｔ１が最も現在に近い過去の時刻であり、時刻Ｔｎが最も現在から遠い過去の時刻となるように時系列に並べられている。
【００５９】
又、過去情報Ｄ１における、潮流量ｗ１（Ｔ１）、ｗ１（Ｔ２）、ｗ１（Ｔｎ）は夫々、時刻Ｔ１、Ｔ２、Ｔｎにおける配電線Ｌ１０の潮流量を示し、気温Ｔｅ（Ｔ１）、Ｔｅ（Ｔ２）、Ｔｅ（Ｔｎ）は夫々、時刻Ｔ１、Ｔ２、Ｔｎにおける負荷Ｒ１が設けられている地域の気温を示し、日射量Ｐ１（Ｔ１）、Ｐ１（Ｔ２）、Ｐ１（Ｔｎ）は夫々、時刻Ｔ１、Ｔ２、Ｔｎにおける発電機Ｇ１が設けられている地域の日射量を示し、天候Ｅ（Ｔ１）、Ｅ（Ｔ２）、Ｅ（Ｔｎ）は夫々、時刻Ｔ１、Ｔ２、Ｔｎにおける負荷Ｒ１が設けられている地域の天候を示している。
【００６０】
＝＝＝未来情報＝＝＝
以下、図５を参照して、本実施形態における未来情報について説明する。図５は、本実施形態における未来情報を示す図である。
【００６１】
未来情報Ｄ２は、送受信部５４で受信した気象信号Ｓ４２に基づく情報である。つまり、未来情報Ｄ２は、未来における予測値を示す情報である。未来情報Ｄ２は、例えば、現在の時刻の数分後から１日経過（２４時間経過）後までの間における数分毎の各時刻と、当該各時刻における発電機Ｇ１が設けられている地域の未来の日射量の予測値とが相互に対応付けられた情報である。未来情報Ｄ２は、例えば送受信部５４が各信号を受信する毎に、直近の気象信号Ｓ４２に基づく情報に更新されることとする。
【００６２】
未来情報Ｄ２では、時刻Ｔｆ１乃至Ｔｆｎは、時刻Ｔｆ１乃至Ｔｆｎのうち時刻Ｔｆ１が最も現在に近い未来の時刻であり、時刻Ｔｆｎが最も現在から遠い未来の時刻となるように時系列に並べられている。
【００６３】
又、未来情報Ｄ２においては、未来の日射量の予測値Ｐ２（Ｔｆ１）、Ｐ２（Ｔｆ２）、Ｐ２（Ｔｆｎ）は夫々、時刻Ｔｆ１、Ｔｆ２、Ｔｆｎにおける発電機Ｇ１が設けられている位置の未来の日射量の予測値を示している。
【００６４】
＝＝＝予測式生成部＝＝＝
以下、図１、図３、図６及び図７を参照して、本実施形態における予測式生成部について説明する。
【００６５】
図６は、本実施形態における過去の時刻と過去の日射量と過去の推定発電量とを示す図である。図７は、本実施形態における過去の時刻と過去の潮流量と過去の推定発電量と過去の推定需要量とを示す図である。
【００６６】
予測式生成部５６は、例えば第２の領域５５２に記憶されている情報等に基づいて、予測式を生成する。
【００６７】
＝予測式＝
一般に、配電線Ｌ１０の未来の予測需要量を算出するための予測式は、例えば重回帰分析等を用いて生成される。この場合、過去の所定期間における配電線Ｌ１０の需要量を示す情報が必要となる。しかし、負荷Ｒ１は、前述したように、配電線Ｌ１０に対して複数設けられている負荷であるので、当該負荷Ｒ１に対して配電線Ｌ１０から供給される電力である需要量を実測するのは、例えば測定コスト等の観点等から困難である。又、例えば式１より、過去の潮流量Ｗ１と過去の発電量Ｗ２の和に基づいて配電線Ｌ１０の過去の需要量Ｗ３を算出する場合、過去の発電量Ｗ２を示す情報が必要となる。しかし、発電機Ｇ１は、前述したように、配電線Ｌ１０に対して複数設けられている発電機であるので、当該発電機の発電量を実測するのは、例えば測定コスト等の観点から困難である。
【００６８】
従って、予測式生成部５６は、発電機Ｇ１の過去の推定発電量を算出し、当該算出された過去の推定発電量等に基づいて配電線Ｌ１０の過去の推定需要量を算出し、その後、当該過去の推定需要量等に基づいて予測式を生成する。尚、過去の推定需要量は、過去の需要量の推定値である。
【００６９】
＜発電機Ｇ１の過去の推定発電量の算出＞
予測式生成部５６は、以下の式２に基づいて発電機Ｇ１の過去の所定期間における推定発電量ｗ２（Ｔｊ）を算出する（図６）。
【００７０】
0005596201.tif 000003
尚、式２のｊは、整数１〜ｋの全てに対応している。尚、式２のｊにおける最大値に対応する整数ｋは、予測式の生成のために利用される過去の推定需要量のデータの個数に対応する整数である。整数ｋは、例えば、過去の所定期間（例えば、過去の１カ月又は例えば４カ月等）における過去の推定需要量のデータの個数に対応する数値であり、整数１以上整数ｎ以下の整数である。尚、上述の整数ｎは、過去情報Ｄ１（図４）として記憶されている過去の日射量のデータの個数に対応する整数である。
【００７１】
つまり、予測式生成部５６は、過去情報Ｄ１における過去の日射量Ｐ１（Ｔｊ）と日射量係数α１との積に基づいて、過去の推定発電量ｗ２（Ｔｊ）を算出する。
【００７２】
＜配電線Ｌ１０の推定需要量の算出＞
予測式生成部５６は、以下の式３に基づいて配電線Ｌ１０の過去の所定期間における推定需要量ｗ３（Ｔｊ）を算出する（図７）。
【００７３】
0005596201.tif 000004
尚、式３のｊは、式２のｊと同様の構成である。
【００７４】
予測式生成部５６は、過去情報Ｄ１における過去の潮流量ｗ１（Ｔｊ）と過去の発電量ｗ２（Ｔｊ）との和に基づいて、過去の推定需要量ｗ３（Ｔｊ）を算出する。
【００７５】
＜予測式の生成＞
予測式生成部５６は、上述したように式３に基づいて算出された過去の推定需要量ｗ３（Ｔｊ）と、過去情報Ｄ１に記憶されている過去の気温Ｔｅ（Ｔｊ）、過去の天候Ｅ（Ｔｊ）に基づいて予測式（式４）を生成する。
【００７６】
0005596201.tif 000005
尚、係数Ａ１乃至Ａｉ、係数Ｂ１乃至Ｂｉ、係数Ｃ１乃至Ｃｉは、過去の需要量推定値（ｗ３（Ｔｊ））、過去の気温（Ｔｅ（Ｔｊ））、過去の天候（Ｅ（Ｔｊ））等に基づいて、例えば重回帰分析により算出される。整数ｉは、例えば整数１より大きく且つ上述の式２における整数ｋよりも小さい整数に対応した整数である。過去の推定需要量ｗ３（ｔ−１）、ｗ３（ｔ−２）、ｗ３（ｔ−ｉ）は夫々、例えば、過去の推定需要量ｗ３（Ｔ１）、ｗ３（Ｔ２）、ｗ３（Ｔｉ）（図７）に対応している。過去の気温Ｔｅ（ｔ−１）、Ｔｅ（ｔ−２）、Ｔｅ（ｔ−ｉ）は夫々、例えば、過去の気温Ｔｅ（Ｔ１）、Ｔｅ（Ｔ２）、Ｔｅ（Ｔｉ）（図４）に対応している。過去の天候Ｅ（ｔ−１）、Ｅ（ｔ−２）、Ｅ（ｔ−ｉ）は夫々、例えば、過去の天候Ｅ（Ｔ１）、Ｅ（Ｔ２）、Ｅ（Ｔｉ）（図４）に対応している。
【００７７】
式４においては、時刻ｔにおける推定需要量ｗ３（ｔ）が、時刻ｔよりも前の時刻における情報に基づいて算出されている。よって、式４を用いて、未来の予測需要量を算出することが可能となる。
【００７８】
＝＝＝予測部＝＝＝
以下、図１及び図８を参照して、本実施形態における予測部について説明する。図８は、本実施形態における未来の時刻と日射量の予測値と予測発電量と予測需要量と予測潮流量とを示す図である。
【００７９】
予測部５７は、上述の予測式（式４）、日射量係数α１に基づいて、配電線Ｌ１０の未来の需要量の予測値、配電線のＬ１０の未来の潮流量の予測値、発電機Ｇ１の発電量の予測値を算出する。
【００８０】
予測部５７は、以下の式５に基づいて例えば現在から２４時間経過後までの未来の予測発電量ｗ２（Ｔｆｊ）を算出する（図８）。
【００８１】
0005596201.tif 000006
尚、式５のｊは、整数１〜ｎの全てに対応している。
【００８２】
つまり、予測部５７は、未来情報Ｄ２（図５）における未来の日照量の予測値Ｐ２（Ｔｆ１）乃至Ｐ２（Ｔｆｎ）と、日射量係数α１との積に基づいて、未来の予測発電量ｗ２（Ｔｆｊ）を算出する。
【００８３】
予測部５７は、前述の予測式（式４）に基づいて、未来の予測需要量ｗ３（Ｔｆｊ）を算出する（図８）。尚、ｊは、式５のｊと同様な整数である。
【００８４】
予測部５７は、以下の式６に基づいて、未来の予測潮流量ｗ１（Ｔｆｊ）を算出する（図８）。
【００８５】
0005596201.tif 000007
尚、式６のｊは、式５のｊと同様な整数である。
【００８６】
＝＝＝供給計画生成部＝＝＝
以下、図１及び図９を参照して、本実施形態における供給計画生成部について説明する。図９は、本実施形態における未来の予測潮流量と計画潮流量を示す図である。尚、図９は、例えば現在から２４時間経過後までの１日間の未来の予測潮流量Ｗｆ１と計画潮流量Ｗｐ１が示されている。予測潮流量Ｗｆ１、計画潮流量Ｗｐ１は夫々、点線、実線で示されている。横軸Ｘ４は、未来の一日における時間を示している。横軸Ｘ４における時刻Ｔｂ１は例えば午前０時を示し、時刻Ｔｂ２は日の出の時刻に対応する例えば午前７時を示し、時刻Ｔｂ３は日の入りの時刻に対応する例えば午後５時を示していることとする。縦軸Ｙ４は、予測潮流量Ｗｆ１、計画潮流量Ｗｐ１の大きさを示している。
【００８７】
予測潮流量Ｗｆ１は、予測部５７の算出結果に基づいて求められる。計画潮流量Ｗｐ１は、供給計画生成部５９によって決定される。
【００８８】
時刻Ｔｂ１から時刻Ｔｂ１１まで間の期間、時刻Ｔｂ１２から時刻Ｔｂ３１までの間の期間、時刻Ｔｂ３２以降の期間については、予測潮流量Ｗｆ１、計画潮流量Ｗｐ１は相互に一致しており、説明の便宜上、１本の実線で示されている。
【００８９】
供給計画生成部５９は、予測潮流量Ｗｆ１に基づいて最大計画潮流値Ｐ２１及び最小計画潮流値Ｐ２２を決定し、当該決定結果等に基づいて計画潮流量Ｗｐ１を決定する。
【００９０】
＝最大計画潮流値、最小計画潮流値＝
最大計画潮流値Ｐ２１（上限値）は、計画潮流量Ｗｐ１における最大値である。最大計画潮流値Ｐ２１は、予測潮流量Ｗｆ１の最大Ｍａ２の値よりも小さい値である。最小計画潮流値Ｐ２２（下限値）は、計画潮流量Ｗｐ１における最小値である。最小計画潮流値Ｐ２２は、予測潮流量Ｗｆ１の最小Ｍａ３の値よりも大きい値である。
【００９１】
供給計画生成部５９は、最大計画潮流値Ｐ２１を示す直線Ｍｂ２と予測潮流量Ｗｆ１を示す曲線とで囲まれた領域Ｍｃ２の面積（「第１面積」とも称する）と、最小計画潮流値Ｐ２２を示す直線Ｍｂ３と予測潮流量Ｗｆ１を示す曲線とで囲まれた領域Ｍｃ３の面積（「第２面積」とも称する）とが同様な面積となるように、最大計画潮流値Ｐ２１、最小計画潮流値Ｐ２２を決定する。供給計画生成部５９は、第１面積及び第２面積に示されている電力量が、一方のバッテリＢ１の充電容量及び他方のバッテリＢ２の充電容量を超えないように、最大計画潮流値Ｐ２１、最小計画潮流値Ｐ２２を決定することとする。つまり、供給計画生成部５９は、最大計画潮流値Ｐ２１を上回っている予測潮流量Ｗｆ１に応じて定まる電力量と、最小計画潮流値Ｐ２２を下回っている予測潮流量Ｗｆ１に応じて定まる電力量とが互いに一致するように、最大計画潮流値Ｐ２１及び最小計画潮流値Ｐ２２を決定する。
【００９２】
＝計画潮流量＝
供給計画生成部５９は、最大計画潮流値Ｐ２１と最小計画潮流値Ｐ２２との間の範囲内において予測潮流量Ｗｆ１と一致するように、計画潮流量Ｗｐ１を決定する。予測潮流量Ｗｆ１が最小計画潮流値Ｐ２２を下回る時刻Ｔｂ１１からＴｂ１２までの間の期間においては、供給計画生成部５９は、最小計画潮流値Ｐ２２を予測潮流量Ｗｆ１とする。予測潮流量Ｗｆ１が最大計画潮流値Ｐ２１を上回る時刻Ｔｂ３１からＴｂ３２までの間の期間においては、供給計画生成部５９は、最大計画潮流値Ｐ２１を予測潮流量Ｗｆ１とする。
【００９３】
＝＝＝一方の充電制御装置＝＝＝
以下、図１０を参照して、本実施形態における一方の充電制御装置について説明する。図１０は、本実施形態における一方の充電制御装置の機能を示すブロック図である。
【００９４】
一方の充電制御装置６は、一方のバッテリＢ１の充放電を制御したり、一方のスイッチ６０１の開閉を制御したりする装置である。一方の充電制御装置６は、入力部６１、出力部６２、表示部６３、送受信部６４、記憶部６５、計時部６６、判定部５７、制御部６８を有する。
【００９５】
入力部６１、出力部６２、表示部６３の構成は夫々、計画装置５における入力部５１、出力部５２、表示部５３の構成と同様であることとする。
【００９６】
送受信部６４は、計画装置５から数分毎に送信される潮流信号Ｓ５２を受信する。更に、送受信部６４は、計画装置５から数時間毎に送信される計画信号Ｓ５１を受信する。
【００９７】
計時部６６は、現在の時刻を計時するための例えば時計等である。
【００９８】
記憶部６５は、例えば、第１の領域６５１、第２の領域６５２、第３の領域６５３を有する。第１の領域６５１には、例えば、一方の充電制御装置６を動作させるためのプログラムが記憶されている。第２の領域６５２には、例えば、送受信部６４が受信した計画信号Ｓ５１に基づく計画潮流量を示す情報が記憶される。計画潮流量を示す情報は、送受信部６４が計画信号Ｓ５１を受信する毎に、最新の計画信号Ｓ５１に基づく計画潮流量が示されるように更新されることとする。第３の領域６５３には、例えば、潮流閾値Ｐ１０を示す情報が記憶される。潮流閾値Ｐ１０は、判定部６７での判定において用いられる所定の電力値である。潮流閾値Ｐ１０は、例えば、一方のバッテリＢ１の仕様、他方のバッテリＢ２の仕様等に基づいて予め定められているものとする。潮流閾値Ｐ１０は、例えば、０であってもよい。潮流閾値Ｐ１０は、０以外の実数であってもよい。
【００９９】
判定部６７は、計時部６６の計時結果に基づいて、現在の時刻が日中（の時刻）であるか否かを判定する。判定部６７は、例えば現在の時刻が予め定められている時間帯の時刻であるか否かに基づいて、現在の時刻が日中であるか否かを判定することとする。尚、予め定められている時間帯については、例えば季節毎に決められていることとしてもよい。尚、日中に対応する時間が第１時間に相当する。第１時間よりも後の夜間に対応する時間が第２時間に相当する。
【０１００】
更に、判定部６７は、潮流信号Ｓ５２に示されている現在時刻の潮流量（「潮流量Ｗ１１」とも称する）から、計画潮流量Ｗｐ１に示されている現在時刻の潮流量Ｗｐ１１を差し引いた値を示す第１潮流差分値Ｗｄ１が潮流閾値Ｐ１０より大きいか小さいかを判定する。尚、第１潮流差分値Ｗｄ１の算出に用いられる計画潮流量Ｗｐ１は、第２の領域６５２に記憶されている計画潮流量を示す情報に基づくものであることとする。尚、潮流量Ｗｐ１１に対して潮流閾値Ｐ１０を加えた値が第１電力閾値に相当する。
【０１０１】
尚、判定部６７は、現在の時刻が日中であるか否かの判定と、第１潮流差分値Ｗｄ１が潮流閾値Ｐ１０より大きいか小さいかの判定との双方を、送受信部６４が潮流信号Ｓ５２を受信する毎に行う。つまり、判定部６７は、上述の双方の判定を、数分毎に行う。
【０１０２】
制御部６８は、判定部６７の判定結果に基づいて、一方のバッテリＢ１の充放電を制御したり、一方のスイッチ６０１の開閉を制御したりする。制御部６８は、上述の双方の制御を、送受信部６４が潮流信号Ｓ５２を受信する毎に行う。つまり、制御部６８は、上述の双方の制御を、数分毎に行う。
【０１０３】
一方の充電制御装置６は、更に、交直変換装置（不図示）を有している。交直変換装置は、一方のバッテリＢ１を放電させる際に、一方のバッテリＢ１の放電に基づく直流電力を交流電力に変換して、当該交流電力を母線Ｌ１に供給したり、一方のバッテリＢ１を充電させる際に、母線Ｌ１の交流電力を直流電力に変換して、当該直流電力を一方のバッテリＢ１に供給したりする装置である。
【０１０４】
例えば、判定部６７が、現在の時刻が日中であり、且つ、第１潮流差分値Ｗｄ１が潮流閾値Ｐ１０より大きいと判定した場合（「第１の場合」とも称する）、制御部６８は、一方のスイッチ６０１を閉とし、且つ、一方のバッテリＢ１を放電させる。第１の場合においては、潮流量Ｗ１１が、潮流量Ｗｐ１１に対して潮流閾値Ｐ１０を加えた値を上回っていることになる。尚、例えば、現在の時刻における日中の実際の日射量の値が、計画潮流量Ｗｐ１に予め反映されている未来情報Ｄ２（図５）の未来の日射量の予測値よりも少なくなっているときに、第１の場合となる。つまり、例えば、未来情報Ｄ２が晴れを想定したものであったにも関わらず、実際には曇り又は雨等となったときに、第１の場合となる。
【０１０５】
例えば、判定部６７が、現在の時刻が日中で無く、且つ、第１潮流差分値Ｗｄ１が潮流閾値Ｐ１０より小さいと判定した場合（「第２の場合」とも称する）、制御部６８は、一方のスイッチ６０１を閉とし、且つ、一方のバッテリＢ１を充電させる。第２の場合においては、潮流量Ｗ１１が、潮流量Ｗｐ１１に対して潮流閾値Ｐ１０を加えた値を下回っていることになる。
【０１０６】
例えば、判定部６７が、現在の時刻が日中であり、且つ、第１潮流差分値Ｗｄ１が潮流閾値Ｐ１０より小さいと判定した場合（「第３の場合」とも称する）、制御部６８は、一方のスイッチ６０１を開とし、一方のバッテリＢ１と母線Ｌ１との間の区間を遮断する。尚、例えば、現在の時刻における日中の実際の日射量の値が、計画潮流量Ｗｐ１に予め反映されている未来情報Ｄ２の未来の日射量の予測値よりも多くなっているときに、第３の場合となる。つまり、例えば、未来情報Ｄ２が曇り又は雨等を想定したものであったにも関わらず、実際には晴れとなったときに、第３の場合となる。
【０１０７】
例えば、判定部６７が、現在の時刻が日中で無く、且つ、第１潮流差分値Ｗｄ１が潮流閾値Ｐ１０より大きいと判定した場合（「第４の場合」とも称する）、制御部６８は、第３の場合と同様に、一方のスイッチ６０１を開とし、一方のバッテリＢ１と母線Ｌ１との間の区間を遮断する。
【０１０８】
＝＝＝他方の充電制御装置＝＝＝
以下、図１１を参照して、本実施形態における他方の充電制御装置について説明する。図１１は、本実施形態における他方の充電制御装置の機能を示すブロック図である。
【０１０９】
他方の充電制御装置７は、他方のバッテリＢ２の充放電を制御したり、他方のスイッチ７０１の開閉を制御したりする装置である。他方の充電制御装置７は、入力部７１、出力部７２、表示部７３、送受信部７４、記憶部７５、計時部７６、判定部７７、制御部７８を有する。
【０１１０】
入力部７１、出力部７２、表示部７３の構成は夫々、計画装置５における入力部５１、出力部５２、表示部５３の構成と同様であることとする。
【０１１１】
送受信部７４、記憶部７５、計時部７６の構成は夫々、一方の充電制御装置６の送受信部６４、記憶部６５、計時部６６の構成と同様であることとする。尚、第１の領域７５１、第２の領域７５２、第３の領域７５３の構成は夫々、一方の充電制御装置６の第１の領域６５１、第２の領域６５２、第３の領域６５３の構成と同様であることとする。
【０１１２】
判定部７７は、計時部７６の計時結果に基づいて、現在の時刻が日中（の時刻）であるか否かを判定する。判定部７７は、例えば現在の時刻が予め定められている時間帯の時刻であるか否かに基づいて、現在の時刻が日中であるか否かを判定することとする。尚、予め定められている時間帯については、例えば季節毎に決められていることとしてもよい。
【０１１３】
更に、判定部７７は、計画潮流量Ｗｐ１に示されている現在時刻の潮流量Ｗｐ１１から、潮流信号Ｓ５２に示されている現在時刻の潮流量Ｗ１１を差し引いた値を示す第２潮流差分値Ｗｄ２が潮流閾値Ｐ１０より大きいか小さいかを判定する。尚、第２潮流差分値Ｗｄ２の算出に用いられる計画潮流量Ｗｐ１は、第２の領域７５２に記憶されている計画潮流量を示す情報に基づくものであることとする。尚、潮流量Ｗｐ１１から潮流閾値Ｐ１０を差し引いた値が第２電力閾値に相当する。
【０１１４】
尚、判定部７７は、現在の時刻が日中であるか否かの判定と、第２潮流差分値Ｗｄ２が潮流閾値Ｐ１０より大きいか小さいかの判定との双方を、送受信部７４が潮流信号Ｓ５２を受信する毎に行う。つまり、判定部７７は、上述の双方の判定を、数分毎に行う。
【０１１５】
制御部７８は、判定部７７の判定結果に基づいて、他方のバッテリＢ２の充放電を制御したり、他方のスイッチ７０１の開閉を制御したりする。制御部７８は、上述の双方の制御を、送受信部７４が潮流信号Ｓ５２を受信する毎に行う。つまり、制御部７８は、上述の双方の制御を、数分毎に行う。
【０１１６】
他方の充電制御装置７は、更に、交直変換装置（不図示）を有している。交直変換装置は、他方のバッテリＢ２を放電させる際に、他方のバッテリＢ２の放電に基づく直流電力を交流電力に変換して、当該交流電力を配電線Ｌ１０に供給したり、他方のバッテリＢ２を充電させる際に、配電線Ｌ１０の交流電力を直流電力に変換して、当該直流電力を他方のバッテリＢ２に供給したりする装置である。
【０１１７】
例えば、判定部７７が、現在の時刻が日中であり、且つ、第２潮流差分値Ｗｄ２が潮流閾値Ｐ１０より大きいと判定した場合（「第５の場合」とも称する）、制御部７８は、他方のスイッチ７０１を閉とし、且つ、他方のバッテリＢ２を充電させる。第５の場合においては、潮流量Ｗ１１が、潮流量Ｗｐ１１から潮流閾値Ｐ１０を差し引いた値を下回っていることになる。
【０１１８】
例えば、判定部７７が、現在の時刻が日中で無く、且つ、第２潮流差分値Ｗｄ２が潮流閾値Ｐ１０より小さいと判定した場合（「第６の場合」とも称する）、制御部７８は、他方のスイッチ７０１を閉とし、且つ、他方のバッテリＢ２を放電させる。第６の場合においては、潮流量Ｗ１１が、潮流量Ｗｐ１１から潮流閾値Ｐ１０を差し引いた値を上回っていることになる。
【０１１９】
例えば、判定部７７が、現在の時刻が日中であり、且つ、第２潮流差分値Ｗｄ２が潮流閾値Ｐ１０より小さいと判定した場合（「第７の場合」とも称する）、制御部７８は、他方のスイッチ７０１を開とし、他方のバッテリＢ２と配電線Ｌ１０との間の区間を遮断する。例えば、判定部７７が、現在の時刻が日中で無く、且つ、第２潮流差分値Ｗｄ２が潮流閾値Ｐ１０より大きいと判定した場合（「第８の場合」とも称する）、制御部７８は、第７の場合と同様に、他方のスイッチ７０１を開とし、他方のバッテリＢ２と配電線Ｌ１０との間の区間を遮断する。
【０１２０】
尚、第１の場合、第５の場合における一方の充電制御装置６及び他方の充電制御装置７の機能が、第１充電制御装置に相当する。又、第２の場合、第６の場合における一方の充電制御装置６及び他方の充電制御装置７の機能が、第２充電制御装置に相当する。
【０１２１】
＝＝＝計画装置の動作＝＝＝
以下、図１２を参照して、本実施形態における計画装置の動作について説明する。図１２は、本実施形態における計画装置の動作を示すフローチャートである。
【０１２２】
計画装置５は、ステップＳ３１乃至Ｓ３８の一連の動作を、例えば数時間毎に行う。
【０１２３】
計画装置５は、過去情報Ｄ１及び式２に基づいて、発電機Ｇ１の過去の所定期間における推定発電量ｗ２（Ｔｊ）を算出する（ステップＳ３１）。計画装置５は、過去情報Ｄ１及び式３等に基づいて、配電線Ｌ１０の過去の所定期間における推定需要量ｗ３（Ｔｊ）を算出する（ステップＳ３２）。計画装置５は、ステップＳ３２の算出結果及び重回帰分析等に基づいて、予測式（式４）を生成する（ステップＳ３３）。計画装置５は、式５及び未来情報Ｄ２に基づいて例えば現在から２４時間経過後までの未来の予測発電量ｗ２（Ｔｆｊ）を算出する（ステップＳ３４）。計画装置５は、式６及びステップＳ３３、Ｓ３４での算出結果等に基づいて、未来の予測潮流量ｗ１（Ｔｆｊ）を算出する（ステップＳ３５）。計画装置５は、ステップＳ３５での算出結果等に基づいて、予測潮流量Ｗｆ１に基づいて最大計画潮流値Ｐ２１及び最小計画潮流値Ｐ２２を算出する（ステップＳ３６）。計画装置５は、ステップＳ３５での算出結果等に基づいて、計画潮流量Ｗｐ１を決定する（ステップＳ３７）。その後、計画装置５は、計画潮流量Ｗｐ１を示す計画信号Ｓ５１を出力した（ステップＳ３８）後、動作を終了する。
【０１２４】
＝＝＝一方の充電制御装置の動作＝＝＝
以下、図１３を参照して、本実施形態における一方の充電制御装置の動作について説明する。図１３は、本実施形態における一方の充電制御装置の動作を示すフローチャートである。
【０１２５】
一方の充電制御装置６は、潮流信号Ｓ５２を受信する毎に、ステップＳ４１乃至ステップＳ４８の一連の動作を行う。つまり、一方の充電制御装置６は、これらの動作を、例えば数分毎に行う。
【０１２６】
一方の充電制御装置６は、潮流信号Ｓ５２を受信する（ステップＳ４１）。一方の充電制御装置６は、現在の時刻が日中であるか否かを判定する（ステップＳ４２）。
【０１２７】
例えば、現在の時刻が日中であると判定された場合（ステップＳ４２のＹＥＳ）、一方の充電制御装置６は、第１潮流差分値Ｗｄ１が潮流閾値Ｐ１０より大きいか否かを判定する（ステップＳ４３）。例えば、第１潮流差分値Ｗｄ１が潮流閾値Ｐ１０より大きいと判定された場合（ステップＳ４３のＹＥＳ）、一方の充電制御装置６は、一方のスイッチ６０１を閉とし、且つ、一方のバッテリＢ１を放電させた（ステップＳ４４）後、動作を終了する。一方、ステップＳ４３において、例えば、第１潮流差分値Ｗｄ１が潮流閾値Ｐ１０より大きいと判定されなかった場合（ステップＳ４３のＮＯ）、一方の充電制御装置６は、一方のスイッチ６０１を開とし、一方のバッテリＢ１と母線Ｌ１との間の区間を遮断した（ステップＳ４７）後、動作を終了する。
【０１２８】
ステップＳ４２において、例えば、現在の時刻が日中であると判定されなかった場合（ステップＳ４２のＮＯ）、一方の充電制御装置６は、第１潮流差分値Ｗｄ１が潮流閾値Ｐ１０より小さいか否かを判定する（ステップＳ４５）。例えば、第１潮流差分値Ｗｄ１が潮流閾値Ｐ１０より小さいと判定された場合（ステップＳ４５のＹＥＳ）、一方の充電制御装置６は、一方のスイッチ６０１を閉とし、且つ、一方のバッテリＢ１を充電させた（ステップＳ４６）後、動作を終了する。一方、ステップＳ４５において、例えば、第１潮流差分値Ｗｄ１が潮流閾値Ｐ１０より小さいと判定されなかった場合（ステップＳ４５のＮＯ）、一方の充電制御装置６は、一方のスイッチ６０１を開とし、一方のバッテリＢ１と母線Ｌ１との間の区間を遮断した（ステップＳ４８）後、動作を終了する。
【０１２９】
＝＝＝他方の充電制御装置の動作＝＝＝
以下、図１４を参照して、本実施形態における他方の充電制御装置の動作について説明する。図１４は、本実施形態における他方の充電制御装置の動作を示すフローチャートである。
【０１３０】
他方の充電制御装置７は、潮流信号Ｓ５２を受信する毎に、ステップＳ５１乃至ステップＳ５８の一連の動作を行う。つまり、他方の充電制御装置７は、これらの動作を、例えば数分毎に行う。
【０１３１】
他方の充電制御装置７は、潮流信号Ｓ５２を受信する（ステップＳ５１）。他方の充電制御装置７は、現在の時刻が日中であるか否かを判定する（ステップＳ５２）。
【０１３２】
例えば、現在の時刻が日中であると判定された場合（ステップＳ５２のＹＥＳ）、他方の充電制御装置７は、第２潮流差分値Ｗｄ２が潮流閾値Ｐ１０より大きいか否かを判定する（ステップＳ５３）。例えば、第２潮流差分値Ｗｄ２が潮流閾値Ｐ１０より大きいと判定された場合（ステップＳ５３のＹＥＳ）、他方の充電制御装置７は、他方のスイッチ７０１を閉とし、且つ、他方のバッテリＢ２を充電させた（ステップＳ５４）後、動作を終了する。一方、ステップＳ５３において、例えば、第２潮流差分値Ｗｄ２が潮流閾値Ｐ１０より大きいと判定されなかった場合（ステップＳ５３のＮＯ）、他方の充電制御装置７は、他方のスイッチ７０１を開とし、他方のバッテリＢ２と配電線Ｌ１０との間の区間を遮断した（ステップＳ５７）後、動作を終了する。
【０１３３】
ステップＳ５２において、例えば、現在の時刻が日中であると判定されなかった場合（ステップＳ５２のＮＯ）、他方の充電制御装置７は、第２潮流差分値Ｗｄ２が潮流閾値Ｐ１０より小さいか否かを判定する（ステップＳ５５）。例えば、第２潮流差分値Ｗｄ２が潮流閾値Ｐ１０より小さいと判定された場合（ステップＳ５５のＹＥＳ）、他方の充電制御装置７は、他方のスイッチ７０１を閉とし、且つ、他方のバッテリＢ２を放電させた（ステップＳ５６）後、動作を終了する。一方、ステップＳ５５において、例えば、第２潮流差分値Ｗｄ２が潮流閾値Ｐ１０より小さいと判定されなかった場合（ステップＳ５５のＮＯ）、他方の充電制御装置７は、他方のスイッチ７０１を開とし、他方のバッテリＢ２と配電線Ｌ１０との間の区間を遮断した（ステップＳ５８）後、動作を終了する。
【０１３４】
＝＝＝電力の需給バランス＝＝＝
以下、図１５を参照して、本実施形態における電力の需給バランスについて説明する。図１５は、本実施形態における計画潮流量と潮流量とを示す図である。尚、図１５は、予め算出されている計画潮流量Ｗｐ２と、一方のバッテリＢ１及び他方のバッテリＢ２の充電及び放電が行われなかったときの潮流量Ｗｆ２とを示している。横軸Ｘ５、縦軸Ｙ５、時刻Ｔｃ１、Ｔｃ２、Ｔｃ３は夫々、図９における横軸Ｘ４、縦軸Ｙ４、時刻Ｔｂ１、Ｔｂ２、Ｔｂ３と同様な構成であることとする。計画潮流量Ｗｐ２は、供給計画生成部５９によって算出された結果であることとする。潮流量Ｗｆ２は、例えば、第１測定装置Ｍ１１の測定結果及びシミュレーション等を用いて求められたものとする。潮流閾値Ｐ１０は、例えば０とされているものとする。
【０１３５】
＜計画潮流量と潮流量との大小について＞
時刻Ｔｃ１から時刻Ｔｃ１１までの間の時間においては、計画潮流量Ｗｐ２と潮流量Ｗｆ２は略一致している。時刻Ｔｃ１１から時刻Ｔｃ１２までの間の時間（「第１の時間」とも称する）においては、計画潮流量Ｗｐ２が潮流量Ｗｆ２より大きくなっている。時刻Ｔｃ１２から時刻Ｔｃ２までの間の時間においては、計画潮流量Ｗｐ２と潮流量Ｗｆ２は略一致している。時刻Ｔｃ２から時刻Ｔｃ２１までの間の時間（「第２の時間」とも称する）においては、計画潮流量Ｗｐ２が潮流量Ｗｆ２より小さくなっている。時刻Ｔｃ２１から時刻Ｔｃ３までの間の時間（「第３の時間」とも称する）においては、計画潮流量Ｗｐ２が潮流量Ｗｆ２より大きくなっている。時刻Ｔｃ３から時刻Ｔｃ３１までの間の時間においては、計画潮流量Ｗｐ２と潮流量Ｗｆ２は略一致している。時刻Ｔｃ３１から時刻Ｔｃ３２までの間の時間（「第４の時間」とも称する）においては、計画潮流量Ｗｐ２が潮流量Ｗｆ２より小さくなっている。時刻Ｔｃ３２以降の時間においては、計画潮流量Ｗｐ２と潮流量Ｗｆ２は略一致している。
【０１３６】
＜第１の時間、第２の時間＞
第１の時間においては、配電線Ｌ１０の電力が余剰となる虞がある。第１の時間においては、計画潮流量Ｗｐ２と潮流量Ｗｆ２とを相互に一致させるために、一方の充電制御装置６は、一方のバッテリＢ１を充電させる。この制御により、第１の時間における配電線Ｌ１０の電力の需給がバランスされることになる。又、この制御により、配電線Ｌ１０の夜間オフピークがピークカットされることになる。
【０１３７】
第２の時間においては、配電線Ｌ１０の電力が不足する虞がある。第２の時間においては、計画潮流量Ｗｐ２と潮流量Ｗｆ２とを相互に一致させるために、一方の充電制御装置６は、一方のバッテリＢ１を放電させる。この制御により、第２の時間における配電線Ｌ１０の電力の需給がバランスされることになる。
【０１３８】
＜第３の時間、第４の時間＞
第３の時間においては、配電線Ｌ１０の電力が余剰となる虞がある。第３の時間においては、計画潮流量Ｗｐ２と潮流量Ｗｆ２とを相互に一致させるために、他方の充電制御装置７は、他方のバッテリＢ２を充電させる。この制御により、第３の時間における配電線Ｌ１０の電力の需給がバランスされることになる。
【０１３９】
第４の時間においては、配電線Ｌ１０の電力が不足する虞がある。第４の時間においては、計画潮流量Ｗｐ２と潮流量Ｗｆ２とを相互に一致させるために、他方の充電制御装置７は、他方のバッテリＢ２を放電させる。この制御により、第４の時間における配電線Ｌ１０の電力の需給がバランスされることになる。又、この制御により、配電線Ｌ１０の夜間ピークがピークカットされることになる。
【０１４０】
[第２実施形態]
＝＝＝計画装置＝＝＝
本実施形態における計画装置５Ｂ（図３）は、第１実施形態における計画装置５において、供給計画生成部５９を供給計画生成部５９Ｂに変更したものである。計画装置５Ｂの供給計画生成部５９Ｂ以外の構成は、計画装置５の構成と同様である。
【０１４１】
以下、図３及び図１６を参照して、本実施形態における計画装置について説明する。図１６は、本実施形態における未来の予測潮流量を示す図である。尚、図９と同様な構成に対しては同様な符号を付し、その説明については省略する。
【０１４２】
計画装置５Ｂ（第１決定部、第２決定部、第３決定部）は、供給計画生成部５９Ｂを有する。
【０１４３】
供給計画生成部５９Ｂは、予測潮流量Ｗｆ１に基づいて最大計画潮流値Ｐｍａｘ及び最小計画潮流値Ｐｍｉｎを決定する。尚、供給計画生成部５９Ｂにおける、最大計画潮流値Ｐｍａｘ及び最小計画潮流値Ｐｍｉｎを決定する構成以外の構成は、供給計画生成部５９の構成と同様であることとする。
【０１４４】
供給計画生成部５９Ｂは、以下の式７に基づいて、中間潮流値Ｐｍｉｄを算出する。
【０１４５】
0005596201.tif 000008
尚、最大潮流量Ｐｐｅａｋは、予測潮流量Ｗｆ１の夜間における最大Ｍａ４における電力の値を示している。最小潮流量Ｐｏｆｆは、予測潮流量Ｗｆ１の夜間における最小Ｍａ５における電力の値を示している。中間潮流値Ｐｍｉｄは、最大潮流量Ｐｐｅａｋ及び最小潮流量Ｐｏｆｆの中央値を示している。
【０１４６】
＝最大計画潮流値Ｐｍａｘ＝
供給計画生成部５９Ｂは、以下の式８に基づいて、最大計画潮流値Ｐｍａｘを算出する。
【０１４７】
0005596201.tif 000009
計画係数α１１は、日中における他方のバッテリＢ２の充電量ＰＢ２１に基づいて定められる。計画係数α１１は、例えば、第３期間（図１５）において確実に配電線Ｌ１０の電力の需給をバランスさせられるように定められる。つまり、係数α１１は、日中において他方のバッテリＢ２に充電された電力を夜間において十分に放電できるように定められる。
【０１４８】
計画係数α１１は、最大計画潮流値Ｐｍａｘを示す直線Ｍｂ４と予測潮流量Ｗｆ１を示す曲線とで囲まれた領域Ｍｃ４の面積に対応する電力量と、充電量ＰＢ２１（推定充電量）に対応する電力量とが一致するように定められる。尚、例えば、充電量ＰＢ２１は、過去の実績等に基づいてシミュレーション等を用いて推定されることとしてもよい。
【０１４９】
＝最小計画潮流値Ｐｍｉｎ＝
供給計画生成部５９Ｂは、以下の式９に基づいて、最小計画潮流値Ｐｍｉｎを算出する。
【０１５０】
0005596201.tif 000010
計画係数α１２は、一方のバッテリＢ１の充電容量に基づいて定められる。計画係数α１２は、例えば、第２期間（図１５）において確実に配電線Ｌ１０の電力の需給をバランスさせられるように定められる。係数α１２は、一方のバッテリＢ１が日中において一方のバッテリＢ１の容量に応じた電力だけ放電できるように定められる。つまり、係数α１２は、夜間において一方のバッテリＢ１が満充電となるように定められる。
【０１５１】
計画係数α１２は、最小計画潮流値Ｐｍｉｎを示す直線Ｍｂ５と予測潮流量Ｗｆ１を示す曲線とで囲まれた領域Ｍｃ５の面積に対応する電力量と、一方のバッテリＢ１を空の状態から満充電とするために一方のバッテリＢ１に充電される充電量に対応する電力量とが一致するように定められる。尚、例えば、一方のバッテリＢ１を空の状態から満充電とするために一方のバッテリＢ１に充電される充電量は、一方のバッテリＢ１の仕様等に基づいて予め定められている充電容量であることとしてもよい。
【０１５２】
[第３実施形態]
＝＝＝計画装置＝＝＝
本実施形態における計画装置５Ｃ（図３）は、第１実施形態における計画装置５において、予測式生成部５６を予測式生成部５６Ｃに変更したものである。計画装置５Ｃの予測式生成部５６Ｃ以外の構成は、計画装置５の構成と同様である。
【０１５３】
以下、図１、図３、図１７及び図１８を参照して、本実施形態における計画装置について説明する。
【０１５４】
図１７は、本実施形態における予測式生成部で算出された過去の推定需要量の一例を示す図である。尚、図１７は、例えば、日射量係数α１の係数値が２のときの、過去の第１の日、過去の第２の日夫々における、一日の推定需要量を示している。横軸Ｘ２は、一日における時間を示している。時刻Ｔａ２１、Ｔａ２２、Ｔａ２３は夫々、時刻Ｔａ１、Ｔａ２、Ｔａ３（図２）と同様な時刻を示している。縦軸Ｙ２は、第１の日の推定需要量Ｗ３１、第２の日の推定需要量Ｗ３２の大きさを示している。
【０１５５】
図１８は、本実施形態における予測式生成部で算出された推定需要量の他の一例を示す図である。尚、図１８は、例えば、日射量係数α１の係数値が４．５のときの、過去の第１の日、過去の第２の日夫々における、推定需要量を示している。横軸Ｘ３は、一日における時間を示している。時刻Ｔａ３１、Ｔａ３２、Ｔａ３３は夫々、時刻Ｔａ１、Ｔａ２、Ｔａ３（図２）と同様な時刻を示している。縦軸Ｙ３は、第１の日の推定需要量Ｗ３３、第２の日の推定需要量の大きさを示している。つまり、推定需要量Ｗ３３と推定需要量Ｗ３１（図１７）の双方は、同一の日（第１の日）の推定需要量を示し、推定需要量Ｗ３４と推定需要量Ｗ３２（図１７）の双方は、同一の日（第２の日）の推定需要量を示している。
【０１５６】
予測式生成部５６Ｃは、例えば第２の領域５５２に記憶されている情報等に基づいて、日射量係数α１の係数値を決定する。尚、予測式生成部５６Ｃにおける、日射量係数α１の係数値を決定する構成以外の構成は、予測式生成部５６の構成で同様であることとする。
【０１５７】
予測式生成部５６Ｃは、過去の推定需要量に基づいて、日射量係数α１の係数値を決定する。予測式生成部５６Ｃは、所定のデータを過去情報Ｄ１（図４）から抽出し、当該抽出されたデータ基づいて過去の推定需要量を算出した後、当該算出された過去の推定需要量を規格化し、当該規格化された推定需要量における同じ曜日同士の波形を比較する。その後、予測式生成部５６Ｃは、例えば、ユークリッド距離の総和が最小となるように日射量係数α１の係数値を決定する。
【０１５８】
＜所定のデータの抽出＞
予測式生成部５６Ｃは、過去の所定期間における過去の潮流量ｗ１と、過去の日射量Ｐ１を過去情報Ｄ１から抽出する。尚、過去の所定期間とは、例えば、日射量係数α１を用いて推定発電量の推定が行われる過去の所定の日から一カ月前までの日の一カ月間に対応する期間である。又、過去の所定期間は、例えば、直近の過去の一カ月間としてもよい。
【０１５９】
＜推定需要量の算出＞
予測式生成部５６Ｃは、当該抽出された過去の所定期間における潮流量ｗ１、過去の日射量Ｐ１、式２に基づいて過去の推定需要量ｗ３を算出する。このとき、予測式生成部５６は、日射量係数α１の係数値をパラメータとして、推定需要量を当該パラ―メタの値の個数に応じて複数算出する。尚、日射量係数α１の係数値は、０以上の実数である。予測式生成部５６Ｃが、日射量係数α１の係数値を実数２、及び、日射量係数α１の係数値を実数４．５として、推定需要量を算出する場合について説明する。
【０１６０】
予測式生成部５６Ｃは、日射量係数α１の係数値が実数２であるときの推定需要量（例えば図１７）と、日射量係数α１の係数値が実数４．５であるときの推定需要量（例えば図１８）を算出する。
【０１６１】
尚、図１７では、過去の所定期間（過去の潮流量ｗ１、過去の日射量Ｐ１が抽出された期間）における、第１の日の推定需要量Ｗ３１及び第２の日の推定需要量Ｗ３２が示されている。第１の日、第２の日は、同じ曜日であり、且つ、天候が相互に異なる日であることとする。第１の日、第２の日の双方は、例えば木曜日である。更に、第１の日、第２の日の天候は夫々、例えば晴れ、曇りである。
【０１６２】
又、図１８では、過去の所定期間（過去の潮流量ｗ１、過去の日射量Ｐ１が抽出された期間）における、第１の日の推定需要量Ｗ３３及び第２の日の推定需要量Ｗ３４が示されている。第１の日、第２の日は、同じ曜日であり、且つ、天候が相互に異なる日であることとする。第１の日、第２の日の双方は、例えば木曜日である。更に、第１の日、第２の日の天候は夫々、例えば晴れ、曇りである。更に、図１７の第１の日と図１８の第１の日同士は同じ日であり、図１７の第２の日と図１８の第２の日同士は同じ日である。
【０１６３】
一般的に同じ曜日における、時間に対する需要量（配電線Ｌ１０から負荷Ｒ１に供給される電力）は略同様となる。従って、例えば、推定需要量Ｗ３１、Ｗ３２同士は、相互に対応した波形となる（図１７）。又、例えば、推定需要量Ｗ３３、Ｗ３４同士は、相互に対応した波形となる（図１８）
例えば、第２期間Ｄ２２（図１７）における推定需要量Ｗ３１、Ｗ３２の差は、第１期間Ｄ２１推定需要量Ｗ３１、Ｗ３２の差及び、第３期間Ｄ２３における第１期間Ｄ２１推定需要量Ｗ３１、Ｗ３２の差よりも、大きくなる。第２期間Ｄ２２における推定需要量Ｗ３１、Ｗ３２の差が比較的大きくなるのは、例えば、第２期間Ｄ２２における推定発電量の大きさに基づくものである。
【０１６４】
又、例えば、第１期間Ｄ２１（図１７）、第３期間Ｄ２３における推定需要量Ｗ３１、Ｗ３２は夫々、第１期間Ｄ３１（図１８）、第３期間Ｄ３３における推定需要量Ｗ３３、Ｗ３４と略同様となる。これは、例えば、第１期間Ｄ２１、Ｄ３１、第３期間Ｄ２３、Ｄ３３では、日射量が略０であり推定発電量が略０であることに基づくものである。
【０１６５】
又、例えば、第２期間Ｄ２２（図１７）における推定需要量Ｗ３１、Ｗ３２の差は、第２期間Ｄ３２（図１８）における推定需要量Ｗ３３、Ｗ３４の差よりも大きくなっている。これは、例えば、推定需要量Ｗ３１、Ｗ３２と、推定需要量Ｗ３３、Ｗ３４との間で、日射量係数α１の係数値が異なることによるものである。
【０１６６】
＜当該算出された推定需要量の規格化＞
予測式生成部５６Ｃは、例えば、日射量係数α１の係数値が実数２であるときの推定需要量、日射量係数α１の係数値が実数４．５であるときの推定需要量夫々を、推定需要量の日最高値で規格化する。尚、推定需要量の日最高値とは、例えば、規格化される推定需要量の各時刻が属する日における推定需要量の最高値を示す。例えば、日射量係数α１の係数値が実数２の場合（図１７）の第１の日、第２の日の日最高値は夫々、最高点Ｐｅ１、Ｐｅ２における推定需要量である。例えば、日射量係数α１の係数値が実数４．５の場合（図１８）の第１の日、第２の日の日最高値は夫々、最高点Ｐｅ３、Ｐｅ４における推定需要量である。
【０１６７】
＜同じ曜日同士の波形の比較＞
予測式生成部５６Ｃは、日射量係数α１の係数値が実数２であるときの推定需要量のうちの、第１の日の推定需要量Ｗ３１と、第２の日の推定需要量Ｗ３２とを比較する。尚、予測式生成部５６Ｃは、上述のように規格化された推定需要量Ｗ３１と、規格化された推定需要量Ｗ３２の波形とを比較（「第１の比較」とも称する）する。
【０１６８】
又、予測式生成部５６Ｃは、日射量係数α１の係数値が実数４．５であるときの推定需要量のうちの、第１の日の推定需要量Ｗ３３と、第２の日の推定需要量Ｗ３４とを比較する。尚、予測式生成部５６Ｃは、上述のように規格化された推定需要量Ｗ３３と、規格化された推定需要量Ｗ３４の波形とを比較（「第２の比較」とも称する）する。
【０１６９】
＜日射量係数α１の係数値の決定＞
予測式生成部５６Ｃは、上述の第１の比較及び第２の比較に基づいて、日射量係数α１の係数値を決定する。予測式生成部５６Ｃは、第１の日の規格化された推定需要量と、第２の日の規格化された推定需要量との差が小さくなるように、日照量係数α１を決定する。予測式生成部５６Ｃは、例えば、日射量係数α１の係数値のパラメータ毎に、第１の日の規格化された推定需要量と第２の日の規格化された推定需要量との間のユークリッド距離の総和を算出し、当該算出されたユークリッド距離の総和が最小となるようなパラメータ値を、日射量係数α１の係数値に決定する。
【０１７０】
例えば、日射量係数α１の係数値が実数４．５の場合の規格化された推定需要量Ｗ３３、Ｗ３４の差（ユークリッド距離の総和）が、日射量係数α１の係数値が実数２の場合の規格化された推定需要量Ｗ３１、Ｗ３２の差（ユークリッド距離の総和）よりも小さくなるので、予測式生成部５６Ｃは、日射量係数α１の係数値を実数２に決定する。
【０１７１】
つまり、予測式生成部５６Ｃは、第１の日の推定需要量と、第２の日の推定需要量との差が最小となるように、日射量係数α１の係数値を決定する。
【０１７２】
＝＝＝予測式生成部が日射量係数の係数値を決定する動作＝＝＝
以下、図１９を参照して、本実施形態における予測式生成部が日射量係数の係数値を決定する動作について説明する。図１９は、本実施形態における予測式生成部が日射量係数の係数値を決定する動作を示すフローチャートである。
【０１７３】
予測式生成部５６Ｃは、過去情報Ｄ１から所定の情報を抽出する（ステップＳ１１）。予測式生成部５６Ｃは、過去の所定期間における過去の潮流量ｗ１と、過去の日射量Ｐ１を過去情報Ｄ１から抽出する。
【０１７４】
予測式生成部５６Ｃは、抽出された情報に基づいて、過去の推定需要量を算出する（ステップＳ１２）。予測式生成部５６Ｃは、前述したように、日射量係数α１の係数値をパラメータとして、当該パラメータの値の個数分だけの複数の過去の推定需要量を算出する。つまり、例えば、上述したように、日射量係数α１の係数値のパラメータ値が２と４．５の２個の場合、予測式生成部５６Ｃは、推定需要量を２パターン算出する。又、例えば、当該日射量係数α１の係数値のパラメータ値が３個の場合、予測式生成部５６Ｃは、推定需要量を３パターン算出する。
【０１７５】
予測式生成部５６Ｃは、当該算出された過去の推定需要量を、推定需要量の日最高値で規格化する（ステップＳ１３）。
【０１７６】
予測式生成部５６Ｃは、同じ曜日における規格化された推定需要量同士を比較する（ステップＳ１４）。
【０１７７】
予測式生成部５６Ｃは、ステップＳ１４の比較結果に基づいて、比較され規格化された推定需要量間の差が小さくなるように、日射量係数α１の係数値を決定する（ステップＳ１５）。予測式生成部５６Ｃは、例えば、比較された規格化された推定需要量のユークリッド距離の総和が最小となるように、日射量係数α１の係数値を決定する。
【０１７８】
尚、予測式生成部５６Ｃで決定された日射量係数α１は、例えば、第３の領域５５３に記憶されるものとする。尚、例えば、未来の予測潮流量を予測する予測者による日射量係数α１の係数値を決定（メンテナンス）が不要となるので、未来の予測潮流量の予測が容易となる。
【０１７９】
前述したように、一方の充電制御装置６及び他方の充電制御装置７は、一方のバッテリＢ１、他方のバッテリＢ２を充放電させる。一方のバッテリＢ１は、母線Ｌ１及び配電線Ｌ１０における負荷Ｒ１及び発電機Ｇ１よりも上流側に接続されている。他方のバッテリＢ２は、母線Ｌ１及び配電線Ｌ１０における負荷Ｒ１及び発電機Ｇ１よりも下流側に接続されている。配電線Ｌ１０には、負荷Ｒ１と当該負荷Ｒ１に対して電力を供給するための発電機Ｇ１とが接続さている。一方の充電制御装置６は、第１の場合（前述）、一方のバッテリＢ１から母線Ｌ１に対して電力が供給されるように一方のバッテリＢ１を充電させる。他方の充電制御装置７は、第５の場合（前述）、配電線Ｌ１００から他方のバッテリＢ２に対して電力が供給されるように他方のバッテリＢ２を充電させる。これらの構成により、一方の充電制御装置６及び他方の充電制御装置７は、配電線Ｌ１０の電力の値が配電線Ｌ１０の計画潮流量に応じた値となるように、配電線Ｌ１０の電力を調整することができる。つまり、配電線Ｌ１０の電力の需給をバランスさせて、配電線Ｌ１０を含む電力系統１００の信頼度を向上させることができる。
【０１８０】
又、一方の充電制御装置６は、第２の場合（前述）、一方のバッテリＢ１から母線Ｌ１に対して電力が供給されるように一方のバッテリＢ１を充電させる。他方の充電制御装置７は、第６の場合（前述）、配電線Ｌ１００から他方のバッテリＢ２に対して電力が供給されるように他方のバッテリＢ２を放電させる。これらの構成により、日中における配電線Ｌ１０の電力を確実に調整することができることになる。又、一方のバッテリＢ１及び他方のバッテリＢ２によって充放電される電力量は、計画潮流量と配電線Ｌ１０の潮流量との差分に応じた量の電力量となるために、一方のバッテリＢ１及び他方のバッテリＢ２の充電容量を比較的小さくすることができる。
【０１８１】
又、計画装置５は、配電線Ｌ１０の負荷Ｒ１及び発電機Ｇ１よりも上流側で発生するとされている予測潮流量Ｗｆ１に基づいて、上限値が予測潮流量Ｗｆ１の最大よりも小さくなり、且つ、下限値が予測潮流量Ｗｆ１の最小よりも大きくなるように計画潮流量Ｗｐ１を決定する。この構成により、例えば、夜間において潮流量が最大となる夜間ピークと、夜間において潮流量が最小となるオフピークとをピークカットすることができる。又、一方のバッテリＢ１及び他方のバッテリＢ２を確実に充放電させて、配電線Ｌ１０の電力を調整することができる。
【０１８２】
又、計画装置５は、最大計画潮流値Ｐ２１を上回っている予測潮流量Ｗｆ１に応じ定まる電力量と、最小計画潮流値Ｐ２２を下回っている予測潮流量Ｗｆ１に応じ定まる電力量とが互いに一致するように、最大計画潮流値Ｐ２１及び最小計画潮流値Ｐ２２を決定する。この構成により、例えば１日における電力の変動幅を比較的小さく抑えることができる。
【０１８３】
又、計画装置５Ｂは、最大計画潮流値Ｐｍａｘを上回っている予測潮流量Ｗｆ１に応じ定まる電力量が、充電量ＰＢ２１（推定充電量）に対応する電力量となるように最大計画潮流値Ｐｍａｘを決定する。又、計画装置５Ｂは、最小計画潮流値Ｐｍｉｎを下回っている予測潮流量Ｗｆ１に応じ定まる電力量が、一方のバッテリＢ１の充電容量に応じた電力量となるように最小計画潮流値Ｐｍｉｎを決定する。これらの構成により、例えば日中における一方のバッテリＢ１から電力線に対する放電、及び、日中における電力線から他方のバッテリＢ２に対する充電が確実に行われることになる。従って、配電線Ｌ１０の電力を確実に調整することが可能となる。
【０１８４】
又、第１時間は、日中に対応する時間であり、第２時間は第１時間よりも後の、夜間に対応する時間である。日中及び夜間において、一方のバッテリＢ１及び他方のバッテリＢ２の充放電を切り換えることにより、例えば、日中における配電線Ｌ１０の電力を確実に調整することができる。
【０１８５】
又、発電機Ｇ１は、太陽光発電装置である。従って、日中における発電機Ｇ１の発電量の変動に応じた配電線Ｌ１０の電力の変動が抑えられるように、日中における配電線Ｌ１０の電力を調整することができる。
【０１８６】
尚、上記第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１８７】
第１実施形態においては、過去の需要量推定値（ｗ３（Ｔｊ））、過去の気温（Ｔｅ（Ｔｊ））、過去の天候（Ｅ（Ｔｊ））に基づいて予測式（式４）が生成されることについて説明したが、これに限定されるものではない。例えば、上述の過去の需要量推定値（ｗ３（Ｔｊ））、過去の気温（Ｔｅ（Ｔｊ））、過去の天候（Ｅ（Ｔｊ））と、季節とに基づいて予測式が生成されることとしてもよい。
【０１８８】
又、第１実施形態においては、第２測定装置Ｍ１２が、負荷Ｒ１が設けられている地域の現在の気温及び発電機Ｇ１が設けられている地域の現在の日射量を測定し、当該測定結果を示す第２測定信号Ｓ１２を出力することについて説明したが、これに限定されるものではない。例えば、第２測定装置Ｍ１２が、変電所２００が設けられている地域の現在の気温及び日射量を測定し、当該測定結果を示す第２測定信号を出力することとしてもよい。
【０１８９】
又、第１実施形態においては、気象情報装置４及び気象情報測定装置が、負荷Ｒ１が設けられている地域の天候を観測することについて説明したが、これに限定されるものではない。例えば、第２測定装置Ｍ１２が、負荷Ｒ１が設けられている地域の天候を観測することとしてもよい。
【０１９０】
又、第１実施形態においては、過去情報Ｄ１１が第１測定信号Ｓ１１、第２測定信号Ｓ１２に基づく情報であることについて説明したが、これに限定されるものではない。例えば、過去情報Ｄ１１が、第１測定信号Ｓ１１、気象信号Ｓ４１に基づく情報であることとしてもよい。
【符号の説明】
【０１９１】
５                        計画装置
６                        一方の充電制御装置
７                        他方の充電制御装置
Ｂ１                      一方のバッテリ
Ｂ２                      他方のバッテリ
Ｇ１                      発電機
Ｌ１                      母線
Ｌ１０                    配電線
Ｒ１                      負荷
【要約】      （修正有）【課題】分散型電源から配電線に供給される電力の変動による配電線の電力変動を抑制する。【解決手段】電力負荷と、電力負荷に対して電力を供給するための分散型電源と、が接続されている電力線の電力負荷及び分散型電源よりも上流側に接続される第１バッテリと、電力線の電力負荷及び分散型電源よりも下流側に接続される第２バッテリと、の充放電を制御して電力線の電力を調整する電力調整装置であって、１日のうちの第１時間において、電力線の前記電力負荷及び分散型電源よりも上流側で発生する実績電力の値が計画電力値以上の第１電力閾値を上回る場合、第１バッテリから前記電力線に対して電力が供給されるように第１バッテリを放電させ、第１時間において、実績電力の値が計画電力値以下の第２電力閾値を下回る場合、電力線から第２バッテリに対して電力が供給されるように第２バッテリを充電させる第１充電制御装置、を備える。【選択図】図１【図１】
0005596201.tif 000011
【図２】
0005596201.tif 000012
【図３】
0005596201.tif 000013
【図４】
0005596201.tif 000014
【図５】
0005596201.tif 000015
【図６】
0005596201.tif 000016
【図７】
0005596201.tif 000017
【図８】
0005596201.tif 000018
【図９】
0005596201.tif 000019
【図１０】
0005596201.tif 000020
【図１１】
0005596201.tif 000021
【図１２】
0005596201.tif 000022
【図１３】
0005596201.tif 000023
【図１４】
0005596201.tif 000024
【図１５】
0005596201.tif 000025
【図１６】
0005596201.tif 000026
【図１７】
0005596201.tif 000027
【図１８】
0005596201.tif 000028
【図１９】
0005596201.tif 000029